(57)【要約】【課題】電極近傍に異物が付着したときに、安定した放電を継続して行うことができる放電体を提供する。【解決手段】誘電体１を介在させてある二つの電極２、３を設け、該電極２、３の表面をそれぞれ被覆する被覆部１ｂ及び被覆膜４を設け、該被覆膜４に導電体５を設けることにより、該導電体５と前記電極３との間に電気力線を集中させて電界を強め、前記導電体５に電圧を印加することなく、前記導電体５の付近にて放電を発生させて、荷電粒子を生起させ、該荷電粒子により、前記電極２、３間を放電が発生し易い雰囲気にし、前記電極２、３近傍に空気中の塵埃が付着した場合でも、前記電極２、３間での長時間の安定した放電を簡素な構成で行うことができるようにした。【選択図】図２
2009016051.tif 000002
【特許請求の範囲】
【請求項１】
誘電体を介在させてある複数の電極と、該電極の表面をそれぞれ被覆する複数の被覆部とを備える放電体において、
前記被覆部の少なくとも一つに導電体を設けてあることを特徴とする放電体。
【請求項２】
前記導電体を設けてある前記被覆部は薄膜状に形成してあることを特徴とする請求項１に記載の放電体。
【請求項３】
前記導電体を、前記電極に対向させてあることを特徴とする請求項１又は２に記載の放電体。
【請求項４】
前記導電体の一部を、前記被覆部を介して一方の電極に対向させてあり、前記導電体の他部を、前記誘電体を介して他方の電極に対向させてあることを特徴とする請求項３に記載の放電体。
【請求項５】
前記被覆部上にて、前記導電体の端部を前記電極に接近させてあることを特徴とする請求項１から４のいずれか一つに記載の放電体。
【発明の詳細な説明】
【技術分野】
【０００１】
本発明は電極近傍に異物が付着したときに安定した放電を継続して行うことができる放電体に関する。
【背景技術】
【０００２】
空気中のウイルス、カビ、及びアレル物質等を不活性化するために、正負イオンを発生するイオン発生器が空気清浄機及び空気調節機器等の電気機器に搭載されている。前記イオン発生器は放電を行う放電体を備えており、該放電体の放電により正負イオンが発生する。
【０００３】
従来の放電体は、層状の誘電体の両側に一対の電極をそれぞれ配置し、該電極の表面をそれぞれ被覆する被覆膜を設け、前記電極に高電圧を印加して、沿面放電を行い、正負イオンを発生させていた（特許文献１参照）。
【０００４】
また空間を介して対向する一対の主電極と、補助電極とを備える放電体が従来から提案されており、前記補助電極に高電圧を印加して放電（以下種放電という。）を行い、電荷を帯びた荷電粒子を前記空間に生起させ、前記主電極に電圧を印加して前記空間にて放電（以下主放電という。）を行っていた。
前記主電極に電圧を印加する前に、前記荷電粒子を前記空間に生起させることにより、前記空間を、主放電が発生し易い雰囲気にしていた（特許文献２参照）。
【特許文献１】特開２００５−２４３４０８号公報
【特許文献２】特開２００２−１５１２９５号公報
【発明の開示】
【発明が解決しようとする課題】
【０００５】
特許文献１に記載の放電体にあっては、電極に高電圧を印加しており、たばこの脂、化粧品に含まれるシリコン等の空気中の塵埃が、前記電極に引寄せられて放電体に付着し、長時間の安定した放電が阻害されていた。
【０００６】
特許文献２に記載の放電体にあっては、種放電により発生した前記荷電粒子により、前記主電極に空気中の塵埃が付着した場合でも、主放電が円滑に行われるが、前記補助電極に高電圧を印加する必要があり、前記補助電極と前記主電極とを絶縁させるための構成が必要になり、また回路が複雑化するという問題点があった。
【０００７】
本発明は斯かる事情に鑑みてなされたものであり、誘電体を介在させてある複数の電極を設け、該電極の表面をそれぞれ被覆する複数の被覆部を設け、該被覆部の少なくとも一つに導電体を設けることにより、該導電体と前記電極との間に電気力線を集中させて電界を強め、前記導電体に電圧を印加することなく、前記導電体の付近にて種放電を発生させ、主放電を惹起する荷電粒子を生起させて、前記電極近傍に空気中の塵埃が付着した場合でも、前記電極による長時間の安定した主放電を簡素な構成で行うことができる放電体を提供することを目的とする。
【０００８】
また前記被覆部を薄膜状に形成することにより、前記導電体と前記電極とを接近させ、前記導電体と前記電極との間に電気力線を集中させて電界を強め、前記導電体に電圧を印加することなく、前記導電体の付近にて種放電を発生させ、主放電を惹起する荷電粒子を生起させて、前記電極近傍に空気中の塵埃が付着した場合でも、前記電極による長時間の安定した主放電を簡素な構成で行うことができる放電体を提供することを目的とする。
【０００９】
また前記導電体を前記電極に対向させることにより、前記導電体と前記電極とを接近させ、前記導電体と前記電極との間に電気力線を集中させて電界を強め、前記導電体に電圧を印加することなく、前記導電体の付近にて種放電を発生させ、主放電を惹起する荷電粒子を生起させて、前記電極近傍に空気中の塵埃が付着した場合でも、前記電極による長時間の安定した主放電を簡素な構成で行うことができる放電体を提供することを目的とする。
【００１０】
また前記導電体の一部を、前記被覆部を介して一方の電極に対向させ、前記導電体の他部を、前記誘電体を介して他方の電極に対向させることにより、両電極に対して互いに正負逆の電圧を印加したときに、電気力線は前記導電体を通って、一方の電極から他方の電極に向けて進行し、前記導電体に電気力線が集中して導電体付近の電界が強まり、前記導電体に電圧を印加することなく、導電体の付近にて種放電が発生して、主放電を惹起する荷電粒子が生起し、前記電極近傍に空気中の塵埃が付着した場合でも、前記電極による長時間の安定した主放電を簡素な構成で行うことができる放電体を提供することを目的とする。
【００１１】
また前記被覆部上にて、前記導電体の端部を前記電極に接近させることにより、前記導電体の端部側面を前記電極に接近させ、該側面全体に多方向から電気力線を集中させて電界を強め、前記導電体に電圧を印加することなく、前記導電体の付近にて種放電を発生させて、主放電を惹起する荷電粒子を生起させ、前記電極近傍に空気中の塵埃が付着した場合でも、前記電極による長時間の安定した主放電を簡素な構成で行うことができる放電体を提供することを目的とする。
【課題を解決するための手段】
【００１２】
本発明に係る放電体は、誘電体を介在させてある複数の電極と、該電極の表面をそれぞれ被覆する複数の被覆部とを備える放電体において、前記被覆部の少なくとも一つに導電体を設けてあることを特徴とする。
【００１３】
本発明においては、誘電体を介在させてある複数の電極を設け、該電極の表面をそれぞれ被覆する複数の被覆部を設け、該被覆部の少なくとも一つに導電体を設けることにより、該導電体と前記電極との間に電気力線を集中させて電界を強め、前記導電体に電圧を印加することなく、前記導電体の付近にて種放電を発生させ、主放電を惹起する荷電粒子を生起させる。
【００１４】
本発明に係る放電体は、前記導電体を設けてある前記被覆部は薄膜状に形成してあることを特徴とする。
【００１５】
本発明においては、前記被覆部を薄膜状に形成することにより、前記導電体と前記電極とを接近させ、前記導電体と前記電極との間に電気力線を集中させて電界を強め、前記導電体に電圧を印加することなく、前記導電体の付近にて種放電を発生させ、主放電を惹起する荷電粒子を生起させる。
【００１６】
本発明に係る放電体は、前記導電体を、前記電極に対向させてあることを特徴とする。
【００１７】
本発明においては、前記導電体を前記電極に対向させることにより、前記導電体と前記電極とを接近させ、前記導電体と前記電極との間に電気力線を集中させて電界を強め、前記導電体に電圧を印加することなく、前記導電体の付近にて種放電を発生させ、主放電を惹起する荷電粒子を生起させる。
【００１８】
本発明に係る放電体は、前記導電体の一部を、前記被覆部を介して一方の電極に対向させてあり、前記導電体の他部を、前記誘電体を介して他方の電極に対向させてあることを特徴とする。
【００１９】
本発明においては、前記導電体の一部を、前記被覆部を介して一方の電極に対向させ、前記導電体の他部を、前記誘電体を介して他方の電極に対向させることにより、両電極には互いに正負逆の電圧を印加したときに、電気力線は前記導電体を通って、一方の電極から他方の電極に向けて進行し、前記導電体に電気力線が集中して導電体付近の電界が強まり、前記導電体に電圧を印加することなく、導電体の付近にて種放電が発生して、主放電を惹起する荷電粒子が生起する。
【００２０】
本発明に係る放電体は、前記被覆部上にて、前記導電体の端部を前記電極に接近させてあることを特徴とする。
【００２１】
本発明においては、前記被覆部上にて、前記導電体の端部を前記電極に接近させることにより、前記導電体の端部側面を前記電極に接近させ、該側面全体に多方向から電気力線を集中させて電界を強め、前記導電体に電圧を印加することなく、前記導電体の付近にて種放電を発生させて、主放電を惹起する荷電粒子を生起させる。
【発明の効果】
【００２２】
本発明に係る放電体にあっては、誘電体を介在させてある複数の電極を設け、該電極の表面をそれぞれ被覆する複数の被覆部を設け、該被覆部の少なくとも一つに導電体を設けることにより、該導電体と前記電極との間に電気力線を集中させて電界を強め、前記導電体に電圧を印加することなく、前記導電体の付近にて種放電を発生させ、主放電を惹起する荷電粒子を生起させて、前記電極近傍に空気中の塵埃が付着した場合でも、前記電極による長時間の安定した主放電を簡素な構成で行うことができる。
【発明を実施するための最良の形態】
【００２３】
（実施の形態１）
以下本発明を実施の形態１に係る図面に基づいて詳述する。図１は実施の形態１に係る放電体の略示斜視図、図２は図１のＩＩ―ＩＩ線での略示断面図である。
【００２４】
図において１は層状の誘電体であり、該誘電体１の下部に電極（以下内部電極という。）２を埋設してある。また前記誘電体１上に電極（以下外部電極という。）３を、その一部を前記内部電極２に対向させて設けてある。該一部にて前記外部電極３と前記誘電体１との段差３１が生じている。なお図１において段差３１の記載を省略している。
【００２５】
前記外部電極３の表面及び誘電体１の上面を被覆する薄膜状の被覆膜４を、外部電極３及び誘電体１上に設けてあり、該被覆膜４により前記外部電極３の表面は放電による摩耗から保護されている。該被覆膜４上に、針金をコの字形に成形した導電体５を立設してあり、該導電体５の一端部を、前記外部電極３の前記内部電極２に対向していない部分の上側に配置し、他端部を、前記内部電極２の前記外部電極３に対向していない部分の上側に配置してある。
【００２６】
前記内部電極２及び外部電極３は電源１０に接続されており、前記内部電極２及び外部電極３に電圧が印加される構成になっている。前記導電体５の一端部近傍の空間は、後述する種放電が発生する種放電領域６になっており、前記段差３１近傍の空間は、後述する主放電が発生する主放電領域７になっている。
【００２７】
なお前記誘電体１は、前記内部電極２及び外部電極３の間に介在しており、誘電分極を生起させる誘電部１ａと、前記内部電極２の下部付近を被覆して、内部電極２を放電による摩耗から保護する被覆部１ｂとを備えている。
また前記被覆膜４の厚さは前記誘電部１ａの厚さよりも薄くなるようにしてある。
【００２８】
次に実施の形態１に係る放電体による放電を説明する。図３及び図４は放電体による放電過程を説明する説明図、図５は外部電極に接近した導電体の略示拡大図である。
【００２９】
前記電源１０により、前記内部電極２及び外部電極３に電圧が印加されたときには、前記被覆膜４は前記誘電部１ａよりも薄く形成してあるので、まず前記外部電極３と前記導電体５の一端部との間に電気力線８が集中して発生する（図３（ａ）参照）。このとき前記導電体５の一端部の側面全体が前記外部電極３に接近しており、図５（ａ）の白抜矢符にて示す如く、前記側面全体に対し多方向から電気力線８が集中している。なお前記導電体５の中途部を前記外部電極３に接近させてある場合には、図５（ｂ）の白抜矢符にて示す如く、前記外部電極３に接近している側面は端部を接近させてある場合に比して少なく、電気力線８が集中し難い。
印加される電圧値が所定値を超過したときには、前記種放電領域６に放電路８ａが形成され、該放電路８ａを通って沿面放電による種放電が発生し、荷電粒子４０が前記種放電領域６に生起する（図３（ｂ）参照）。
【００３０】
そして前記内部電極２及び外部電極３への電圧の印加により、前記主放電領域７に電気力線９が発生して電界が発生し、前記荷電粒子４０は前記主放電領域７に向けて移動する（図４（ｃ）参照）。前記荷電粒子４０が前記主放電領域７に移動したときに、前記主放電領域７に発生している電界が強まり、前記主放電領域７に放電路９ａが形成され、該放電路９ａを通って沿面放電による主放電が発生し、正イオン及び負イオンが生起する（図４（ｄ）参照）。
【００３１】
実施の形態１に係る放電体にあっては、誘電体１を介在させてある内部電極２及び外部電極３を設け、両電極をそれぞれ被覆する被覆部１ｂ及び被覆膜４を設け、該被覆膜４に導電体５を設けることにより、該導電体５と前記外部電極３との間に電気力線８を集中させて電界を強め、前記導電体５に電圧を印加することなく、前記種放電領域６にて種放電を発生させて、主放電を惹起する荷電粒子４０を生起させ、前記外部電極３及び内部電極２の近傍に空気中の塵埃が付着した場合でも、前記内部電極２及び外部電極３による長時間の安定した主放電を簡素な構成で行うことができる。
【００３２】
また前記被覆膜４を薄膜状に形成することにより、前記導電体５と前記外部電極３とを接近させ、前記導電体５と前記外部電極３との間に電気力線８を集中させて電界を強め、前記導電体５に電圧を印加することなく、前記種放電領域６にて種放電を発生させて、主放電を惹起する荷電粒子４０を生起させ、前記外部電極３及び内部電極２の近傍に空気中の塵埃が付着した場合でも、前記外部電極３及び内部電極２による長時間の安定した主放電を簡素な構成で行うことができる。
【００３３】
また前記導電体５を、前記外部電極３に対向させることにより、前記導電体５と前記外部電極３とを接近させ、前記導電体５と前記外部電極３との間に電気力線８を集中させて電界を強め、前記導電体５に電圧を印加することなく、前記種放電領域６にて種放電を発生させて、主放電を惹起する荷電粒子４０を生起させ、前記外部電極３及び内部電極２の近傍に空気中の塵埃が付着した場合でも、前記外部電極３及び内部電極２による長時間の安定した主放電を簡素な構成で行うことができる。
【００３４】
また前記導電体５の一端部を、前記被覆膜４を介して、前記外部電極３に対向させ、前記導電体５の他端部を、前記誘電体１を介して前記内部電極２に対向させることにより、両電極３、４に互いに正負逆の電圧を印加したときに、電気力線８は前記導電体５を通って、両電極３、４の一方から他方に向けて進行し、前記導電体５に電気力線８が集中して導電体５付近の電界が強まり、前記導電体５に電圧を印加することなく、前記導電体５の付近にて種放電が行われ、主放電を惹起する荷電粒子４０が発生し、前記外部電極３及び内部電極２の近傍に空気中の塵埃が付着した場合でも、前記外部電極３及び内部電極２による長時間の安定した主放電を簡素な構成で行うことができる。
【００３５】
また前記被覆膜４上にて、前記導電体５の端部を前記外部電極３の上側に配置することにより、前記導電体５の中途部を前記外部電極３の上側に配置した場合に比して多くの側面を前記外部電極３に接近させ、該側面全体に対し多方向から電気力線８を集中させて電界を強め、前記導電体５に電圧を印加することなく、前記導電体５の付近にて種放電を行い、荷電粒子４０を生起させて、前記外部電極３及び内部電極２の近傍に空気中の塵埃が付着した場合でも、前記外部電極３及び内部電極２による長時間の安定した主放電を簡素な構成で行うことができる。
【００３６】
なお前記導電体５の形状はコの字形に限定されず、他の立体的形状であっても良い。また前記導電体５と前記被覆膜４との接触状態は点接触、線接触、面接触のいずれであっても良い。また被覆膜４を誘電体１と一体に成形しても良い。また導電体５の素材の一例として金属が挙げられ、前記誘電体１及び被覆膜４の素材の一例としてアルミナが挙げられる。
【００３７】
（実施の形態２）
以下本発明を実施の形態２に係る放電体を示す図面に基づいて詳述する。図６は放電体の略示斜視図である。
【００３８】
前記被覆膜４上に、導電物質を有する矩形の導電テープ５０を設けてあり、該導電テープ５０の一端部を、前記外部電極３の前記内部電極２に対向していない部分の上側に配置し、他端部を、前記内部電極２の前記外部電極３に対向していない部分の上側に配置してある。なお図６において前記段差３１の記載を省略している。
【００３９】
次に実施の形態２に係る放電体による放電を説明する。図７は図６のＶＩＩ―ＶＩＩ線での略示断面図、図８は導電体の端部の略示拡大図である。
前記電源１０により、前記内部電極２及び外部電極３に電圧が印加されたときには、前記被覆膜４は前記誘電部１ａよりも薄く形成してあるので、まず前記外部電極３と前記導電テープ５０の一端部との間に前記電気力線８が集中して発生する。このとき前記導電テープ５０の一端部の側面全体が前記外部電極３に接近しており、図８の白抜矢符にて示す如く、前記側面全体に対し多方向から前記電気力線８が集中する。印加される電圧値が所定値を超過したときには、図７に示す如く、前記種放電領域６に放電路８ａが形成され、該放電路８ａを通って沿面放電による種放電が発生し、荷電粒子４０が前記種放電領域６に生起する。
【００４０】
そして前記内部電極２及び外部電極３への電圧の印加により、前記主放電領域７に前記電気力線９が発生して電界が発生し、前記荷電粒子４０は前記主放電領域７に向けて移動する。前記荷電粒子４０が前記主放電領域７に移動したときに、前記主放電領域７に発生している電界により、図７に示す如く、前記主放電領域７に放電路９ａが形成され、該放電路９ａを通って沿面放電による主放電が発生し、正イオン及び負イオンが生起する。
【００４１】
実施の形態２に係る放電体の構成の内、実施の形態１と同様な構成については同じ符号を付しその詳細な説明を省略する。
【００４２】
なお前記導電テープ５０の形状は矩形に限定されず、他の平面的形状であっても良い。
【００４３】
（実施の形態３）
以下本発明を実施の形態３に係る放電体を示す図面に基づいて詳述する。図９は放電体の模式的斜視図、図１０は放電体の模式的断面図である。
【００４４】
前記誘電体１の下面及び上面に、板状の二つの電極２０、３０をそれぞれ設けてあり、各電極２０、３０はそれぞれの一端部を互いに対向させてある。該一端部にて、前記電極２０、３０と前記誘電体１との段差３１、３１が生じている。各電極２０、３０を保護する薄膜状の二つの被覆膜４、４が、各電極２０、３０及び誘電体１上にそれぞれ設けてある。該被覆膜４、４は前記誘電体１に比して薄くしてある。各被覆膜４、４上に、二つの前記導電体５、５がそれぞれ立設しており、前記導電体５の両端部は、各電極２０、３０の互いに対向していない部分にそれぞれ配置してある。各電極２０、３０は電源１０に接続されており、各電極２０、３０に電圧が印加される構成にしてある。前記導電体５、５の一端部近傍の空間は前記種放電領域６、６になっており、前記段差３１、３１近傍の空間は前記主放電領域７、７になっている。なお図９において段差３１の記載を省略している。
【００４５】
次に実施の形態３に係る放電体による放電を説明する。
前記電源１０により、前記両電極２０、３０に電圧が印加されたときには、前記被覆膜４は前記誘電体１よりも薄く形成してあるので、まず電極２０、３０と前記導電体５、５の一端部との間に前記電気力線８が集中して発生する。このとき前記導電体５、５の一端部の側面全体が前記電極２０、３０に接近しており、図５の矢印にて示す如く、前記側面全体に対し多方向から前記電気力線８が集中する。印加される電圧値が所定値を超過したときには、図１０に示す如く、前記種放電領域６、６に放電路８ａが形成され、該放電路８ａを通って沿面放電による種放電が発生し、荷電粒子４０が前記種放電領域６、６に生起する。
【００４６】
そして両電極２０、３０への電圧の印加により、前記主放電領域７、７に前記電気力線９が発生して電界が発生し、前記荷電粒子４０は前記主放電領域７、７に向けて移動する。前記荷電粒子４０が前記主放電領域７、７に移動したときに、前記主放電領域７、７に発生している電界により、図１０に示す如く、前記主放電領域７、７に放電路９ａが形成され、該放電路９ａを通って沿面放電による主放電が発生し、正イオン及び負イオンが生起する。
【００４７】
実施の形態３に係る放電体にあっては、誘電体１を介して一対の電極２０、３０を設け、該電極２０、３０をそれぞれ被覆する二つの被覆膜４、４を設け、該被覆膜４、４に二つの導電体５、５をそれぞれ設けることにより、該導電体５、５と前記電極２０、３０との間に電気力線８を集中させて電界を強め、前記導電体５、５に電圧を印加することなく、前記導電体５、５の付近にて種放電を行い、荷電粒子４０を生起させて、前記電極２０、３０近傍に空気中の塵埃が付着した場合でも、前記電極２０、３０による長時間の安定した主放電を簡素な構成で行うことができる。
【００４８】
また前記被覆膜４、４を薄膜状に形成することにより、前記導電体５、５と前記電極２０、３０とを接近させ、前記導電体５、５と前記電極２０、３０との間に電気力線８を集中させて電界を強め、前記導電体５、５に電圧を印加することなく、前記導電体５、５の付近にて種放電を行い、荷電粒子４０を生起させて、前記電極２０、３０近傍に空気中の塵埃が付着した場合でも、前記電極２０、３０による長時間の安定した主放電を簡素な構成で行うことができる。
【００４９】
また前記誘電体１の上面（下面）にて、前記導電体５を、前記電極２０（３０）に対向させることにより、前記導電体５、５と前記電極２０、３０とを接近させ、前記導電体５、５と前記電極２０、３０との間に電気力線８を集中させて電界を強め、前記導電体５、５に電圧を印加することなく、前記導電体５、５の付近にて種放電を行い、荷電粒子４０を生起させて、前記電極２０、３０近傍に空気中の塵埃が付着した場合でも、前記電極２０、３０による長時間の安定した主放電を簡素な構成で行うことができる。
【００５０】
また前記誘電体１の上面（下面）にて、前記導電体５の一部を、前記被覆膜４を介して前記電極２０（３０）に対向させ、前記導電体５の他部を、前記誘電体１を介して前記電極３０（２０）に対向させることにより、両電極２０、３０に互いに正負逆の電圧を印加したときに、電気力線８は前記導電体５、５を通って、両電極の一方から他方に向けて進行し、前記導電体５、５に電気力線８が集中して導電体５、５付近の電界が強まり、前記導電体５、５に電圧を印加することなく、導電体５、５の付近にて種放電が発生し、荷電粒子４０が生起して、前記電極２０、３０近傍に空気中の塵埃が付着した場合でも、前記電極２０、３０による長時間の安定した主放電を簡素な構成で行うことができる。
【００５１】
また前記被覆膜４、４上にて、前記導電体５、５の端部を前記電極２０、３０に接近させることにより、前記導電体５、５の端部側面を前記電極２０、３０に接近させ、該側面全体に多方向から電気力線８を集中させて、電界を強め、前記導電体５、５に電圧を印加することなく、前記導電体５、５の付近にて種放電を行い、荷電粒子４０を生起させて、前記電極２０、３０近傍に空気中の塵埃が付着した場合でも、前記電極２０、３０による長時間の安定した主放電を簡素な構成で行うことができる。
【００５２】
実施の形態３に係る放電体の構成の内、実施の形態１又は２と同様な構成については同じ符号を付しその詳細な説明を省略する。
【図面の簡単な説明】
【００５３】
【図１】実施の形態１に係る放電体の略示斜視図である。
【図２】図１のＩＩ―ＩＩ線での略示断面図である。
【図３】実施の形態１に係る放電体による放電過程を説明する説明図である。
【図４】実施の形態１に係る放電体による放電過程を説明する説明図である。
【図５】外部電極に接近した導電体の略示拡大図である。
【図６】実施の形態２に係る放電体の略示斜視図である。
【図７】図６のＶＩＩ―ＶＩＩ線での略示断面図である。
【図８】実施の形態２に係る導電体の端部の略示拡大図である。
【図９】実施の形態３に係る放電体の模式的斜視図である。
【図１０】実施の形態３に係る放電体の模式的断面図である。
【符号の説明】
【００５４】
１  誘電体
１ｂ  被覆部
２  内部電極
３  外部電極
４  被覆膜（被覆部）
２０、３０  電極
５  導電体
６  種放電領域
７  主放電領域
８、９  電気力線
８ａ、９ａ  放電路
３１  段差
５０  導電テープ
４０  荷電粒子
【図１】
2009016051.tif 000003
【図２】
2009016051.tif 000004
【図３】
2009016051.tif 000005
【図４】
2009016051.tif 000006
【図５】
2009016051.tif 000007
【図６】
2009016051.tif 000008
【図７】
2009016051.tif 000009
【図８】
2009016051.tif 000010
【図９】
2009016051.tif 000011
【図１０】
2009016051.tif 000012